(57)【要約】【課題】ボウル部の殺菌が可能でありながらも、オゾンガスの濃度の上昇を抑制し得る便器装置を提供する。【解決手段】ボウル部１１にオゾン水を供給するオゾン水供給部２０を備えた便器装置１であって、前記オゾン水供給部は、前記ボウル部に供給されるオゾン水を生成する第１オゾン水生成部２３と、前記ボウル部のオゾンガスを回収するオゾンガス回収部３０と、前記オゾンガス回収部によって回収されたオゾンガスを用いてオゾン水を生成する第２オゾン水生成部２７と、を備えている。【選択図】図１
2016217075.tif 000002
【特許請求の範囲】
【請求項１】
ボウル部にオゾン水を供給するオゾン水供給部を備えた便器装置であって、
前記オゾン水供給部は、前記ボウル部に供給されるオゾン水を生成する第１オゾン水生成部と、前記ボウル部のオゾンガスを回収するオゾンガス回収部と、前記オゾンガス回収部によって回収されたオゾンガスを用いてオゾン水を生成する第２オゾン水生成部と、を備えていることを特徴とする便器装置。
【請求項２】
請求項１において、
便蓋と、この便蓋が閉鎖された状態でオゾン水の供給及びオゾンガスの回収を前記オゾン水供給部に実行させる制御部と、を備えていることを特徴とする便器装置。
【請求項３】
請求項１または２において、
前記第２オゾン水生成部によって生成されたオゾン水を前記ボウル部に供給する際には、前記第１オゾン水生成部を停止させるように前記オゾン水供給部を制御する制御部を備えていることを特徴とする便器装置。
【請求項４】
請求項１乃至３のいずれか１項において、
前記第１オゾン水生成部は、水を電気分解してオゾン水を生成する構成とされていることを特徴とする便器装置。
【請求項５】
請求項１乃至４のいずれか１項において、
前記第２オゾン水生成部は、給水管路に設けられた絞り部に、前記オゾンガス回収部によって回収されたオゾンガスを合流させるガス管路を接続した構成とされていることを特徴する便器装置。
【発明の詳細な説明】
【技術分野】
【０００１】
本発明は、便器装置に関する。
【背景技術】
【０００２】
従来より、オゾン水生成部において生成されたオゾン水をボウルに供給する構成とされた便器装置が知られている（例えば、下記特許文献１参照）。
【先行技術文献】
【特許文献】
【０００３】
【特許文献１】特開２０１４−１７３３３９号公報
【発明の概要】
【発明が解決しようとする課題】
【０００４】
しかしながら、上記のような便器装置においては、オゾン水に含まれるオゾンガスの気泡や溶解されなかったオゾンガスがボウルにおいて発生し、一時的にオゾンガスの濃度が上昇することが考えられる。
【０００５】
本発明は、上記実情に鑑みてなされたものであり、ボウル部の殺菌が可能でありながらも、オゾンガスの濃度の上昇を抑制し得る便器装置を提供することを目的としている。
【課題を解決するための手段】
【０００６】
前記目的を達成するために、本発明に係る便器装置は、ボウル部にオゾン水を供給するオゾン水供給部を備えた便器装置であって、前記オゾン水供給部は、前記ボウル部に供給されるオゾン水を生成する第１オゾン水生成部と、前記ボウル部のオゾンガスを回収するオゾンガス回収部と、前記オゾンガス回収部によって回収されたオゾンガスを用いてオゾン水を生成する第２オゾン水生成部と、を備えていることを特徴とする。
【発明の効果】
【０００７】
本発明に係る便器装置は、上述のような構成としたことで、ボウル部の殺菌が可能でありながらも、オゾンガスの濃度の上昇を抑制することができる。
【図面の簡単な説明】
【０００８】
【図１】本発明の一実施形態に係る便器装置の一例を模式的に示す一部省略概略縦断面図である。
【図２】同便器装置の一例を模式的に示す概略斜視図である。
【図３】同便器装置において実行される基本動作の一例を模式的に示す概略フローチャートである。
【図４】同便器装置において実行される基本動作の他例を模式的に示す概略フローチャートである。
【発明を実施するための形態】
【０００９】
以下に本発明の実施の形態について、図面に基づいて説明する。
図１及び図２は、本実施形態に係る便器装置を模式的に示す図である。
なお、以下の実施形態では、便器装置を設置した状態を基準として上下方向等の方向を説明する。
【００１０】
本実施形態に係る便器装置１は、図１及び図２に示すように、床等の設置面に設置される着座式のいわゆる洋式の便器装置とされている。
この便器装置１は、ボウル部（便鉢）１１や、給水管２及び外部排水管３に接続される給排水機構等が設けられた便器本体１０を備えている。また、便器本体１０には、ボウル部１１に対して開閉自在（起倒自在）とされた便座１７や便蓋１６が設けられている。
【００１１】
また、この便器装置１に、脱臭装置や局部洗浄装置、便座１７や局部洗浄用水等を温める加熱装置、洗剤供給装置等の各種機能装置や機能部材を設けた構成としてもよい。
また、便器装置１に、人体検知センサーや着座センサー等の各種センサーを設けた構成としてもよく、上記した各種機能装置を操作する操作部としてのリモコン装置や、リモコン装置の各種信号の送受信を可能とする送受信装置等を設けた構成としてもよい。
【００１２】
ボウル部１１は、上方に向けて開口するすり鉢状とされ、上端には、リム部１２が周方向に延びるように設けられている。また、ボウル部１１の下部には、後方側に向けて延びるように排水管部１３が設けられている。この排水管部１３には、外部排水管３に連通し、排水機構を構成するトラップ部１４が設けられている。図例では、トラップ部１４を、一端が排水管部１３に接続され、他端の排水口が上方側を向きボウル部１１に溜水可能とする溜水状態と下方側を向く排水状態とに切り替えられる、いわゆるターントラップ式のものとしている。なお、便器装置１に設けられるトラップ部１４としては、このようなターントラップ式に限られず、サイホンゼット式やサイホン式、サイホンボルテックス式等としてもよい。
【００１３】
また、便器装置１は、給水元となる給水管（水道管）２に接続され、ボウル部１１に洗浄水を供給する洗浄水給水機構を備えている。このような洗浄水給水機構としては、リム部１２に沿わせるように洗浄水を給水し、ボウル部１１を洗浄する構成とされたものとしてもよい。図例では、便器装置１を、水洗タンクを備えていない、いわゆるタンクレスタイプのものとした例を示している。この便器装置１は、水道直圧式としてもよい。なお、便器装置１の給水機構としては、このようなタンクレスタイプに限られず、水洗タンクを備えた構成としてもよい。
また、便器装置１には、洗浄水給水機構を作動させて洗浄水をボウル部１１に供給する洗浄操作部が設けられている。このような洗浄操作部としては、操作レバーや操作ボタン等としてもよく、また、人体検知センサーや着座センサー等の各種センサーを洗浄操作部として把握、つまり、検知を操作と把握するような態様としてもよい。
この洗浄水給水機構の洗浄操作がなされれば、リム部１２に沿うように洗浄水が供給され、ボウル部１１内面の洗浄がなされる。
【００１４】
また、便器装置１のボウル部１１の奥側の上部には、便座１７や便蓋１６等を開閉自在に保持する機構部等が設けられた上ケース部１５が設けられている。
本実施形態では、便器装置１に、開放（起立）された便蓋１６を閉鎖（倒伏）させるモータ等を有した便蓋閉鎖機構を設けている。なお、この便蓋閉鎖機構は、閉鎖された便蓋１６を開放可能な構成とされたものとしてもよく、便座１７の開閉をも可能な構成とされたものとしてもよい。
また、便器装置１には、便蓋１６の開閉を検知する便蓋センサーが設けられている。このような便蓋センサーとしては、便蓋１６の起立または倒伏によって操作されるリミットスイッチや、便蓋１６の枢軸の回転角を検出する回転角センサー、その他、種々のセンサーとしてもよい。
【００１５】
また、便器装置１は、ボウル部１１にオゾン水を供給するオゾン水供給部２０を備えている。
オゾン水供給部２０は、ボウル部１１に供給されるオゾン水を生成する第１オゾン水生成部２３と、ボウル部１１のオゾンガスを回収するオゾンガス回収部３０と、を備えている。また、オゾン水供給部２０は、このオゾンガス回収部３０によって回収されたオゾンガスを用いてオゾン水を生成する第２オゾン水生成部２７を備えている。
つまり、オゾン水供給部２０は、主としてオゾン水を生成する第１オゾン水生成部２３によって生成されてボウル部１１に供給されたオゾン水から発生するオゾンガスを用いて補助的に第２オゾン水生成部２７においてオゾン水を生成する構成とされている。
【００１６】
このオゾン水供給部２０は、給水元となる給水管（水道管）２に接続され、第１オゾン水生成部２３及び第２オゾン水生成部２７に給水する給水ライン２１，２２，２６を備えている。
この給水ライン２１，２２，２６は、給水管２に接続される給水ライン２１から分岐し、第１オゾン水生成部２３及び第２オゾン水生成部２７のそれぞれに接続される第１給水ライン２２及び第２給水ライン２６を備えている。
【００１７】
これら第１給水ライン２２及び第２給水ライン２６には、第１オゾン水生成部２３及び第２オゾン水生成部２７への給水を供給または遮断する給水弁２２ａ，２６ａが設けられている。図例では、これら第１給水ライン２２及び第２給水ライン２６のそれぞれに第１給水弁２２ａ及び第２給水弁２６ａを設けた例を示している。これら給水弁２２ａ，２６ａは、開閉弁（ＯＮ／ＯＦＦ弁）としてもよい。なお、このような態様に代えて、第１給水ライン２２と第２給水ライン２６との分岐部を構成するように三方切替弁等の多方切替弁を給水弁として設けた態様としてもよい。また、このように共通の給水管２に接続された給水ライン２１を分岐させて第１オゾン水生成部２３及び第２オゾン水生成部２７に給水する態様に代えて、各生成部２３，２７に個別に給水する態様としてもよい。また、給水ライン２１，２２，２６が接続される給水管２は、洗浄水給水機構の給水管２と共通のものに限られず、別途に設けられたものとしてもよい。
【００１８】
また、オゾン水供給部２０は、第１オゾン水生成部２３及び第２オゾン水生成部２７において生成されたオゾン水をボウル部１１に向けて供給するオゾン水供給ライン２４，２９，２５を備えている。本実施形態では、第１オゾン水生成部２３の下流側に接続された第１オゾン水供給ライン２４と第２オゾン水生成部２７の下流側に接続された第２オゾン水供給ライン２９とを合流させたオゾン水供給ライン２５を設けた構成としている。つまり、本実施形態では、第１オゾン水生成部２３及び第２オゾン水生成部２７において生成されたオゾン水を、共通のオゾン水供給ライン２５を経てボウル部１１に供給する構成としている。
【００１９】
また、第１オゾン水供給ライン２４及び第２オゾン水供給ライン２９には、オゾン水を供給または遮断するオゾン水供給弁２４ａ，２９ａが設けられている。図例では、これら第１オゾン水供給ライン２４及び第２オゾン水供給ライン２９のそれぞれに第１オゾン水供給弁２４ａ及び第２オゾン水供給弁２９ａを設けた例を示している。これらオゾン水供給弁２４ａ，２９ａは、開閉弁（ＯＮ／ＯＦＦ弁）としてもよい。なお、このような態様に代えて、第１オゾン水供給ライン２４と第２オゾン水供給ライン２９との合流部を構成するように三方切替弁等の多方切替弁をオゾン水供給弁として設けた態様としてもよい。また、このようなオゾン水供給弁を設けずに、逆止弁等の逆流防止機構を設けた構成としてもよい。
【００２０】
また、オゾン水供給ライン２５の末端には、ボウル部１１に向けてオゾン水を供給するオゾン水供給口２５ａが設けられている。
オゾン水供給口２５ａは、ボウル部１１内をオゾン水によって効果的に殺菌する観点等から適宜の位置に設けるようにしてもよい。図例では、オゾン水供給口２５ａを、ボウル部１１の上方側部位の内面において開口するように設けた例を示しているが、オゾン水をリム部１２に沿わせるように供給可能なように設けるようにしてもよい。また、例えば、ボウル部１１内に向けて延びるように配されるノズルに、オゾン水を霧状に噴出したり、シャワー状に散布するオゾン水供給口２５ａを設けた構成としてもよい。また、ボウル部１１内面に向けてオゾン水を供給する態様に限られず、ボウル部１１の溜水に向けてオゾン水を供給するオゾン水供給口２５ａを設けたような態様としてもよい。また、適宜のポンプ等を用いて、オゾン水をボウル部１１に向けて供給するようにしてもよい。また、オゾン水の供給態様としては、このような態様に限られず、その他、種々の変形が可能である。
【００２１】
第１オゾン水生成部２３は、本実施形態では、水を電気分解してオゾン水を生成する構成とされている。つまり、第１オゾン水生成部２３を、電解式としている。
この第１オゾン水生成部２３は、第１給水ライン２２及び第１オゾン水供給ライン２４に接続された電解槽内に、電源に接続され、陽極及び陰極を構成する一対の電極２３ａ，２３ａを設けた構成とされている。また、第１オゾン水生成部２３は、一対の電極２３ａ，２３ａ間に、高分子電解質膜２３ｂを設けた構成とされている。また、第１オゾン水生成部２３の電解槽内には、電気分解によって生成されたオゾンガスを水に溶解させる溶解部が設けられている。このような電解式の第１オゾン水生成部２３としては、その他、種々の構成とされたものとしてもよい。
【００２２】
この第１オゾン水生成部２３が起動（ＯＮ）されれば、第１給水弁２２ａが開放され、一対の電極２３ａ，２３ａに通電されてオゾンガスが生成され、溶解部において水に溶解されてオゾン水が生成される。この第１オゾン水生成部２３において生成されたオゾン水は、オゾン水供給口２５ａを介してボウル部１１に向けて供給される。なお、第１オゾン水生成部２３が起動（ＯＮ）されれば、直ちにまたは所定の遅延時間が経過すれば、第１オゾン水供給弁２４ａを開放させるようにしてもよい。
また、第１オゾン水生成部２３の構成によっては、オゾンガスを水に溶解させる気液混合部を設けるようにしてもよい。このような気液混合部としては、例えば、圧壊式や、せん断式、加圧溶解式、エジェクタ式等の適宜の構成とされたものとしてもよい。また、第１オゾン水生成部２３を、オゾン濃度変更可能な構成とされたものとしてもよい。また、図例では、この第１オゾン水生成部２３を、上ケース部１５内に設けた例を示しているが、便器本体１０の適宜の箇所に設けるようにしてもよい。
【００２３】
第２オゾン水生成部２７は、第２給水ライン２６を介して供給される水に、オゾンガス回収部３０によって回収されたオゾンガスを混合、溶解させる気液混合部２８を備えている。本実施形態では、給水管路としての第２給水ライン２６に、気液混合部としての絞り部２８を設けた構成としている。また、第２オゾン水生成部２７を、この絞り部２８に、オゾンガス回収部３０によって回収されたオゾンガスを合流させるガス管路３１を接続した構成としている。つまり、本実施形態では、第２オゾン水生成部２７をエジェクタ式としている。
絞り部２８は、この絞り部２８の上流側及び下流側の第２給水ライン２６の内径よりも径を漸減させるようにベンチュリー管状に形成されている。この絞り部２８においては、ベンチュリー作用によるオゾンガスの吸入によってオゾンガスが微細化して水に混合、溶解され、オゾン水が生成される。この絞り部２８の径や漸減度合等は、オゾン水を効果的に生成可能なように適宜、設定するようにしてもよい。
【００２４】
オゾンガス回収部３０は、絞り部２８に接続されたガス管路３１に回収ファン３２を設けた構成とされている。
ガス管路３１は、ボウル部１１内に向けて開口するようにガス吸引口３１ａを設けた構成とされている。図例では、ボウル部１１の上方側部位の内面において開口するようにガス吸引口３１ａを設けた例を示しているが、ボウル部１１の溜水面近傍の内面や、リム部１２、便座１７の裏面、便蓋１６の裏面等において開口するようにガス吸引口３１ａを設けた構成としてもよい。
また、このガス管路３１の回収ファン３２よりも上流側（ガス吸引口３１ａ側）の適所に、適宜のフィルター等を設けるようにしてもよい。また、回収ファン３２としては、軸流ファンやシロッコファン等の適宜のファンを採用するようにしてもよい。
【００２５】
このオゾンガス回収部３０を起動（ＯＮ）、つまり、回収ファン３２をＯＮとし、第２オゾン水生成部２７を起動（ＯＮ）、つまり、第２給水弁２６ａ及び第２オゾンガス供給弁２９ａを開放させれば、オゾン水が生成される。第２オゾン水生成部２７において生成されたオゾン水は、オゾン水供給口２５ａを介してボウル部１１に向けて供給される。
なお、オゾンガス回収部３０において回収されたオゾンガスの濃度等に応じて、第２給水ライン２６の給水流量を調整することで、オゾン濃度の調整を可能とした構成としてもよい。また、この第２オゾン水生成部２７において生成されるオゾン水の濃度が第１オゾン水生成部２３において生成されるオゾン水の濃度と概ね同濃度となるように調整される構成としてもよい。
また、図例では、ガス管路３１を、絞り部２８の最小径部の下側部位に接続した例を示しているが、このような態様に限られず、絞り部２８の最小径部の上側部位等に接続するようにしてもよい。
【００２６】
また、本実施形態では、便器本体１０にボウル部１１内のオゾンガスの濃度を測定する濃度センサー１８を設けた構成としている。この濃度センサー１８は、その検出部がオゾンガス回収部３０のガス吸引口３１ａ近傍に位置するように設けるようにしてもよい。図例では、濃度センサー１８の検出部を、ボウル部１１内面において露出させるように、かつ、ガス吸引口３１ａの下方側近傍に位置するように設けた例を示しているが、リム部１２や便座１７の裏面、便蓋１６の裏面等に位置するように設けるようにしてもよい。また、濃度センサー１８は、ボウル部１１内のオゾンガスの濃度を言わば連続的に測定するようなものとしてもよく、所定時間が経過する毎に言わばサンプリング的に測定するようなものとしてもよい。また、この濃度センサー１８は、オゾンガス供給部２０の作動中のみにボウル部１１内のオゾンガスの濃度を測定するものとしてもよい。
なお、この濃度センサー１８としては、例えば、紫外線吸光方式や化学発光法、吸光光度法、ポーラログラフ法等の公知の方式を用いたものとしてもよく、その他、種々の構成とされたものとしてもよい。
【００２７】
また、便器装置１は、上記した給排水機構や、便蓋１６の開閉装置（便蓋閉鎖機構）、オゾン水供給部２０を作動制御する制御部１９を備えている。また、上記した濃度センサー１８や便蓋センサーは、信号線等を介して制御部１９に接続されている。
この制御部１９は、便器本体１０の適所に設けるようにしてもよく、または、壁面等に設置される便器装置１が備えるリモコン装置に設けるようにしてもよい。
また、制御部１９には、例えば、ＣＰＵ等の制御回路や、メモリ等によって構成され、後記する各基本動作例を含む各種動作プログラム等を記憶する記憶部等が設けられている。
【００２８】
この制御部１９によって各部の制御がなされて後記する各基本動作例の実行がなされる。
本実施形態では、便蓋１６が閉鎖された状態でオゾン水の供給及びオゾンガスの回収がなされるようにオゾン水供給部２０を制御部１９が制御する構成としている。
また、本実施形態では、第２オゾン水生成部２７によって生成されたオゾン水をボウル部１１に供給する際には、第１オゾン水生成部２３を停止させるようにオゾン水供給部２０を制御部１９が制御する構成としている。
以下、本実施形態に係る便器装置１において実行される基本動作の一例を、図３を参照して説明する。
【００２９】
本動作例では、洗浄操作がなされてボウル部１１を洗浄した後に、ボウル部１１にオゾン水を供給する構成としている。
つまり、図３に示すように、洗浄操作がなされれば（ステップ１００）、ボウル部１１に洗浄水を供給する（ステップ１０１，１０２）。そして、洗浄が終了し（ステップ１０２）、便蓋１６が閉鎖されていなければ（ステップ１０３）、便蓋１６を閉鎖する（ステップ１０４）。なお、洗浄操作がなされれば、便蓋１６を閉鎖させるようにしてもよい。
そして、便蓋１６が閉鎖された状態で、第１オゾン水生成部２３をＯＮとし、所定時間ｔ１が経過するまでオゾン水をボウル部１１に供給する（ステップ１０５〜１０８）。つまり、第１給水弁２２ａ及び第１オゾン水供給弁２４ａを開放させ、第１オゾン水生成部２３の電極２３ａ，２３ａに通電してオゾン水を生成し、生成されたオゾン水をボウル部１１に供給する。また、所定時間ｔ１は、オゾン水供給部２０が起動されてボウル部１１にオゾン水が供給されるオゾン水供給時間として適宜の時間としてもよく、ボウル部１１内を効果的に殺菌する観点や、節電及び節水化を図る観点等から適宜、設定するようにしてもよい。
【００３０】
また、この所定時間ｔ１が経過することなく、ボウル部１１内のオゾンガスの濃度が第１閾値を上回れば、第１オゾン水生成部２３をＯＦＦとし、オゾンガス回収部３０及び第２オゾン水生成部２７をＯＮとする（ステップ１０６，１０９〜１１１）。つまり、第１給水弁２２ａ及び第１オゾン水供給弁２４ａを閉鎖し、第１オゾン水生成部２３の電極２３ａ，２３ａへの通電を遮断する。また、回収ファン３２をＯＮとし、第２給水弁２６ａ及び第２オゾンガス供給弁２９ａを開放させ、オゾン水を生成し、生成されたオゾン水をボウル部１１に供給する。
この状態で、ボウル部１１内のオゾンガスの濃度が第２閾値を下回れば、オゾンガス回収部３０及び第２オゾン水生成部２７をＯＦＦとする（ステップ１１３）。つまり、回収ファン３２をＯＦＦとし、第２給水弁２６ａ及び第２オゾンガス供給弁２９ａを閉鎖する。
また、オゾンガス回収部３０及び第２オゾン水生成部２７をＯＦＦとし、所定時間ｔ１を経過していれば、オゾン水供給動作を終了する（ステップ１１３，１０６，１０７）。一方、所定時間ｔ１が経過しておらず、かつオゾンガスの濃度が第１閾値を上回っていなければ、所定時間ｔ１が経過またはオゾンガスの濃度が第１閾値を上回るまで、第１オゾン水生成部２３をＯＮとする（ステップ１０６，１０９，１１４，１０５）。
【００３１】
また、第１オゾン水生成部２３がＯＮとされて所定時間ｔ１が経過することなくオゾンガスの濃度が第１閾値を上回れば、上記同様、第１オゾン水生成部２３をＯＦＦとし、オゾンガスの濃度が第２閾値を下回るまでオゾンガス回収部３０及び第２オゾン水生成部２７をＯＮとする（ステップ１０６，１０９〜１１３）。
つまり、本動作例では、所定時間ｔ１が経過するまでオゾン水をボウル部１１に供給する際に、オゾンガスの濃度に応じて第１オゾン水生成部２３の起動・停止並びにオゾンガス回収部３０及び第２オゾン水生成部２７の起動・停止を実行する構成としている。
上記第１閾値及び第２閾値は、ボウル部１１において発生するオゾンガスによる人体への影響等を考慮して適宜の値としてもよい。例えば、第１閾値を、オゾンガスによる人体への影響がないように安全な値としてもよい。また、第２閾値を、第１閾値よりも低い（小さい）値としてもよい。
また、回収ファン３２のＯＮ、第２給水弁２６ａの開放及び第２オゾンガス供給弁２９ａの開放は、同時になされるものとしてもよく、非同時的になされるものとしてもよい。
【００３２】
本実施形態に係る便器装置１は、上述のような構成としたことで、ボウル部１１の殺菌が可能でありながらも、オゾンガスの濃度の上昇を抑制することができる。
つまり、ボウル部１１にオゾン水を供給するオゾン水供給部２０を備えた構成としている。従って、ボウル部１１内に殺菌成分としてのオゾン水を供給することができ、ボウル部１１内を殺菌することができる。また、殺菌即効性が高く、また、経時によって濃度が低下し、いわゆる残留性が低いオゾン水を殺菌液としているので、便器装置１として好適なものとなる。
【００３３】
また、オゾン水供給部２０に、ボウル部１１のオゾンガスを回収するオゾンガス回収部３０と、オゾンガス回収部３０によって回収されたオゾンガスを用いてオゾン水を生成する第２オゾン水生成部２７と、を設けた構成としている。従って、ボウル部１１において発生するオゾンガスを回収することができるので、オゾンガスの濃度の上昇を抑制することができる。また、このように回収したオゾンガスを利用して第２オゾン水生成部２７においてオゾン水を生成することができるので、第１オゾン水生成部２３のみによってオゾン水を生成するようなものと比べて、第１オゾン水生成部２３の負荷を軽減することができる。
【００３４】
また、本実施形態では、第１オゾン水生成部２３を、水を電気分解してオゾン水を生成する構成としている。従って、放電式等と比べて、効率的にオゾン水を生成することができる。また、第２オゾン水生成部２７によってオゾン水を生成することができるので、第１オゾン水生成部２３の電極２３ａや高分子電解質膜２３ｂの長寿命化を図ることができる。なお、このような態様に代えて、第１オゾン水生成部２３を、他の方式によってオゾン水を生成する構成としてもよい。この場合は、必要に応じて、上記したような気液混合部を設けるようにしてもよい。
【００３５】
また、本実施形態では、第２オゾン水生成部２７を、給水管路（第２給水ライン）２６に設けられた絞り部２８に、オゾンガス回収部３０によって回収されたオゾンガスを合流させるガス管路３１を接続した構成としている。つまり、回収したオゾンガスを、エジェクタ式によって水に混合、溶解させる構成としている。従って、例えば、圧壊式や、せん断式、加圧溶解式等によってオゾンガスを水に混合、溶解させるようなものと比べて、第２オゾン水生成部２７の構造の簡略化を図ることができる。なお、このように絞り部２８を設けた場合には、オゾンガス回収部３０に回収ファン３２を設けないようにしてもよい。また、第２オゾン水生成部２７の気液混合部２８としては、エジェクタ式に限られず、他の方式を採用するようにしてもよい。
【００３６】
また、本実施形態では、便蓋１６と、この便蓋１６が閉鎖された状態でオゾン水の供給及びオゾンガスの回収をオゾン水供給部２０に実行させる制御部１９と、を備えた構成としている。従って、便蓋１６が開放された状態でオゾン水を供給し、オゾンガスを回収するようなものと比べて、より効率的にオゾンガスを回収することができる。
また、本実施形態では、第２オゾン水生成部２７によって生成されたオゾン水をボウル部１１に供給する際には、第１オゾン水生成部２３を停止させるようにオゾン水供給部２０を制御する制御部１９を備えた構成としている。従って、第１オゾン水生成部２３の負荷をより効果的に軽減することができる。
【００３７】
また、上記基本動作例では、ボウル部１１の洗浄操作に伴いボウル部１１にオゾン水を供給する構成としている。従って、ボウル部１１の洗浄操作がなされる毎にオゾン水の供給がなされるので、ボウル部１１を効果的に殺菌することができる。
また、上記基本動作例では、ボウル部１１内におけるオゾンガスの濃度が第１閾値を上回れば、オゾンガス回収部３０を作動させて第２オゾン水生成部２７においてオゾン水を生成するようにしている。従って、例えば、時間等に基いてオゾンガス回収部３０を作動させるような態様と比べて、効率的に第２オゾン水生成部２７においてオゾン水を生成することができ、また、効果的にオゾンガスの濃度の上昇を抑制することができる。
【００３８】
また、上記基本動作例では、ボウル部１１内におけるオゾンガスの濃度が第２閾値を下回るまでオゾンガス回収部３０を作動させて第２オゾン水生成部２７においてオゾン水を生成するようにしている。従って、例えば、時間等に基いてオゾンガス回収部３０等を停止させるような態様と比べて、より確実にオゾンガスの濃度の上昇を抑制することができる。なお、このような態様に代えて、所定時間ｔ１が経過すれば、オゾンガス回収部３０等を停止させる態様としてもよい。
【００３９】
次に、本実施形態に係る便器装置１において実行される基本動作の他例を、図４を参照して説明する。なお、上記動作例と同様の動作については、説明を省略または簡略に説明する。
本動作例においても、上記動作例と同様、洗浄操作がなされれば、ボウル部１１に洗浄水を供給する（ステップ２００〜２０２）。そして、洗浄が終了し（ステップ２０２）、便蓋１６が閉鎖されていなければ（ステップ２０３）、便蓋１６を閉鎖する（ステップ２０４）。
そして、便蓋１６が閉鎖された状態で、第１オゾン水生成部２３をＯＮとし、所定時間ｔ２が経過するまでオゾン水をボウル部１１に供給する（ステップ２０５〜２０７）。
所定時間ｔ２が経過すれば、第１オゾン水生成部２３をＯＦＦとし、オゾンガス回収部３０及び第２オゾン水生成部２７をＯＮとし、所定時間ｔ３が経過すれば、オゾンガス回収部３０及び第２オゾン水生成部２７をＯＦＦとする（ステップ２０６〜２１０）。
つまり、本動作例では、オゾンガスの濃度ではなく所定時間ｔ２，ｔ３に応じて第１オゾン水生成部２３の起動・停止並びにオゾンガス回収部３０及び第２オゾン水生成部２７の起動・停止を実行する構成としている。
【００４０】
上記所定時間ｔ２及び所定時間ｔ３は、ボウル部１１を効果的に殺菌する観点や、ボウル部１１において発生するオゾンガスによる人体への影響等を考慮して適宜の時間としてもよい。例えば、所定時間ｔ２を、第１オゾン水生成部２３が起動されてからボウル部１１において発生するオゾンガスの濃度が上記第１閾値程度となるような時間等としてもよい。また、所定時間ｔ３を、オゾンガス回収部３０及び第２オゾン水生成部２７が起動されてからボウル部１１のオゾンガスの濃度が上記第２閾値程度となるような時間等としてもよい。また、第１オゾン水生成部２３を作動させる所定時間ｔ２を、オゾンガス回収部３０及び第２オゾン水生成部２７を作動させる所定時間ｔ３よりも長い時間としてもよい。
本動作例においても、上記した動作例と概ね同様な効果を奏する。また、本動作例によれば、上記動作例と比べて、制御の簡略化が図れ、また、濃度センサー１８を設けないようにすることもできる。
【００４１】
なお、上記した各基本動作例では、ボウル部１１の洗浄操作に伴いボウル部１１にオゾン水を供給する構成としたが、このような態様に代えて、または加えて、ボウル部１１にオゾン水を供給する構成としてもよい。例えば、所定時間が経過する毎にオゾン水を供給する構成としたり、オゾン水供給操作部を設け、この操作がなされることでオゾン水を供給する構成としたりしてもよく、その他、種々の変形が可能である。
また、上記した各基本動作例では、便蓋１６が閉鎖された状態でオゾン水の供給及びオゾンガスの回収を実行させる態様とした例を示しているが、便蓋１６が開放された状態でオゾン水の供給及びオゾンガスの回収を実行させる態様としてもよい。
また、上記した各基本動作例では、第２オゾン水生成部２７からのオゾン水をボウル部１１に供給する際には、第１オゾン水生成部２３を停止させる態様とした例を示しているが、第１オゾン水生成部２３を作動させた状態としてもよい。
また、上記した各基本動作例は、一例に過ぎず、その他、種々の変形動作の実行が可能である。
【００４２】
また、上記した例では、第１オゾン水生成部２３において生成したオゾン水の供給口と第２オゾン水生成部２７において生成したオゾン水の供給口とを、共通のオゾン水供給口２５ａとした例を示しているが、このような態様に限られない。例えば、第１オゾン水生成部２３において生成したオゾン水の供給口（供給ライン）と第２オゾン水生成部２７において生成したオゾン水の供給口（供給ライン）とを個別に設けた態様としてもよい。
また、上記した例では、オゾン水供給部２０を、洗浄水や局部洗浄水とは別途にオゾン水をボウル部１１に供給する構成としているが、このような態様に限られない。オゾン水供給部２０を、洗浄水としてボウル部１１にオゾン水を供給する構成としてもよい。また、オゾン水供給部２０を、局部洗浄水としてオゾン水を供給する構成としてもよい。この場合は、オゾン水を、人体に接触した場合にも害のない濃度等とされたものとしてもよい。また、この場合は、オゾン水が人体に接触した後にボウル部１１に供給されるものとして把握するようにしてもよい。
【符号の説明】
【００４３】
１    便器装置
１１  ボウル部
１６  便蓋
１９  制御部
２０  オゾン水供給部
２３  第１オゾン水生成部
２６  第２給水ライン（給水管路）
２７  第２オゾン水生成部
２８  絞り部
３０  オゾンガス回収部
３１  ガス管路
【図１】
2016217075.tif 000003
【図２】
2016217075.tif 000004
【図３】
2016217075.tif 000005
【図４】
2016217075.tif 000006